(57)【特許請求の範囲】
【請求項１】
地図を表示する装置であって、
ユーザから距離の指定を受け取ることができる入力部であって、前記距離の指定の少なくとも一部として、前記指定された距離を増大させる指示をユーザから受け取ることができる、入力部と、
基準位置に対して互いの相対角度が固定された４方向に位置し、前記基準位置から、前記指定された共通の距離にある４個の範囲の地図を、表示領域に表示することができる表示部であって、前記表示領域の中心を基準として前記４方向と対応する方向にそれぞれ位置する位置関係に前記４個の範囲の地図を配して前記表示領域に表示することができる表示部と、を備える地図表示装置。
【請求項２】
請求項１記載の地図表示装置であって、
前記表示部は、前記４個の範囲を含む一つの範囲を連続した一つの地図として表示することができる縮尺よりも小さい縮尺で、前記４個の範囲の地図を表示する、地図表示装置。
【請求項３】
請求項１または２記載の地図表示装置であって、
前記表示部は、
前記基準位置を含む範囲を連続した一つの地図として表示する第１のモードと、
前記４個の範囲の地図を、前記４方向と対応する位置関係に配して表示する第２のモードと、を備え、
前記第１のモードから前記第２のモードに移行することができ、
前記第２のモードから前記第１のモードに移行することができる、地図表示装置。
【請求項４】
請求項１に従属する請求項３記載の地図表示装置であって、
前記表示部は、
前記第１のモードで前記基準位置を含む範囲の地図を表示した後に前記第２のモードで地図を表示する際には、前記第２のモードに移行する直前に前記第１のモードで前記地図を表示した縮尺で、前記４個の範囲の地図を表示する、地図表示装置。
【請求項５】
請求項１ないし４のいずれかに記載の地図表示装置であって、
前記４個の範囲は、それぞれ前記基準位置に最も近い地点を一つの頂点とする四角形の範囲であり、
前記表示部は、
四角形の前記表示領域を有し、
前記４個の範囲の地図を表示する際には、前記四角形の表示領域内の左上、右上、右下、および左下の位置に、前記４個の範囲の前記一つの頂点が向かい合うように、前記４個の範囲を配して表示する、地図表示装置。
【請求項６】
請求項１ないし４のいずれかに記載の地図表示装置であって、
前記４個の範囲は、それぞれ前記基準位置に最も近い地点を一つの頂点とする三角形の範囲であり、
前記表示部は、
四角形の表示領域を有し、
前記４個の範囲の地図を表示する際には、前記四角形の表示領域内の上、右、下、および左の位置に、前記４個の範囲の前記一つの頂点が向かい合うように、前記４個の範囲をそれぞれ配して表示する、地図表示装置。
【請求項７】
請求項５または６記載の地図表示装置であって、
前記表示部は、前記４個の範囲の地図を表示する際には、前記表示領域の一部の範囲であって、前記表示領域の中央を含む範囲に前記指定された距離に関する表示を行う、地図表示装置。
【請求項８】
請求項１ないし７のいずれかに記載の地図表示装置であって、
前記入力部は、前記距離の指定の少なくとも一部として、さらに、前記指定された距離を減少させる指示をユーザから受け取ることができる、地図表示装置。
【請求項９】
地図を表示する装置であって、
ユーザから距離の指定を受け取ることができる入力部と、
基準位置に対して互いの相対角度が固定された４方向に位置し、前記基準位置から前記指定された距離にある４個の範囲の地図を、表示領域に表示することができる表示部であって、前記表示領域の中心を基準として前記４方向と対応する方向にそれぞれ位置する位置関係に前記４個の範囲の地図を配して前記表示領域に表示することができる表示部と、を備え、
前記入力部は、前記４方向の向きに関する指定を受け取ることができ、
前記表示部は、前記向きに関する指定に応じて、地図の方位に対する前記４方向の向きを決定して、４個の範囲の地図を表示することができる、地図表示装置。
【請求項１０】
請求項９記載の地図表示装置であって、
前記表示部は、前記４個の範囲の地図を表示する際には、前記表示領域の一部の範囲であって、前記表示領域の中央を含む範囲に前記指定された向きに関する表示を行う、地図表示装置。
【請求項１１】
請求項９記載の地図表示装置であって、
前記入力部は、前記向きに関する指定の少なくとも一部として、前記指定された向きを時計回りまたは反時計回りに変化させる指示をユーザから受け取ることができる、地図表示装置。
【請求項１２】
請求項１ないし７のいずれかに記載の地図表示装置であって、
前記入力部は、
前記指定された距離を増大させる指示を受け取るための第１の操作部と、
前記指定された距離を減少させる指示を受け取るための第２の操作部と、
前記４方向の向きを時計回りに変化させる指示を受け取るための第３の操作部と、
前記４方向の向きを反時計回りに変化させる指示を受け取るための第４の操作部と、を備え、
前記入力部における前記第１の操作部の位置を１２時の方向としたとき、
前記第２の操作部は、６時の方向に配され、
前記第３の操作部は、３時の方向に配され、
前記第４の操作部は、９時の方向に配されている、地図表示装置。
【請求項１３】
地図を表示する方法であって、
（ａ）地図表示装置が、ユーザから距離の指定を受け取る工程と、
（ｂ）基準位置に対して互いの相対角度が固定された４方向に位置し、前記基準位置から、前記指定された共通の距離にある４個の範囲の地図を、前記地図表示装置が、表示領域に表示する工程であって、前記表示領域の中心を基準として前記４方向と対応する方向にそれぞれ位置する位置関係に前記４個の範囲の地図を配して前記表示領域に表示する工程と、
（ｃ）前記地図表示装置が、前記指定された距離を増大させる指示をユーザから受け取る工程と、
（ｄ）前記地図表示装置が、前記工程（ｃ）の指示に基づいて増大された前記指定された距離に基づいて、前記工程（ｂ）を実行する工程と、を備える方法。
【請求項１４】
コンピュータにおいて実行され、表示部に地図を表示させるためのコンピュータプログラムであって、
ユーザから距離の指定を受け取る機能と、
基準位置に対して互いの相対角度が固定された４方向に位置し、前記基準位置から、前記指定された共通の距離にある４個の範囲の地図を、表示部の表示領域に表示する機能であって、前記表示領域の中心を基準として前記４方向と対応する方向にそれぞれ位置する位置関係に前記４個の範囲の地図を配して前記表示領域に表示する機能と、
前記指定された距離を増大させる指示をユーザから受け取る機能と、
前記指示に基づいて増大された前記指定された距離に基づいて、前記位置関係で前記４個の範囲の地図を前記表示領域に表示する機能と、を前記コンピュータに実現させるコンピュータプログラム。
【発明の詳細な説明】
【技術分野】
【０００１】
この発明は、地図を表示する技術に関する。
【背景技術】
【０００２】
従来より、ユーザの操作に応じて表示画像を拡大または縮小する技術が存在する（特許文献１）。
【０００３】
【特許文献１】特開平５−１２７８５３号公報
【０００４】
上記の技術を地図の表示に適用すると、大縮尺の表示を行うことにより、広い範囲の地図を表示して、基準位置（たとえば現在位置）から遠い位置にある土地や施設を表示することができる。
【０００５】
しかし、地図の画像をそのまま縮小して広い範囲の地図を表示すると、地図上において駅や市役所などの対象物を示す記号や図形がそのまま縮小されてしまい、判別が困難となる。また、それらの記号や図形の大きさを維持したまま広い範囲の地図を表示すると、多数の対象物の記号や図形が画面上に表示される。その結果、それらの記号や図形に隠されて、市町村の境界や川などの地形を表す図が見えなくなりやすい。さらに、一部の対象物の記号や図形を表示しないことにより、市町村の境界や川などの地形が表示されるようにすると、ユーザが見つけたい対象物の記号や図形が画面上に表示されなくなる場合がある。
【０００６】
一方で、地図の表示範囲を移動させることで、ユーザが見つけたい対象物を画面に表示させることもできる。しかし、そのような態様においては、もともと表示していた範囲または地点との位置関係が分からなくなるという問題がある。
【０００７】
このような問題は、地図を表示することにより、基準位置から遠い位置にある対象物を知ろうとする際に、広く生じる。
【発明の開示】
【発明が解決しようとする課題】
【０００８】
本願に係る発明は、上記の課題の少なくとも一部を取り扱うことを目的とし、地図を表示する際に、基準位置から遠い位置にある対象物を、基準位置との位置関係を喪失することなく、容易に知ることができるようにすることを目的とする。
【課題を解決するための手段】
【０００９】
上記目的を達成するために、本発明は、その一態様として、地図表示装置おいて以下のような構成を採用する。その装置は、地図を表示する装置であって、
ユーザから距離の指定を受け取ることができる入力部と、
基準位置に対して互いの相対角度が固定された４方向に位置し、前記基準位置から前記指定された距離にある４個の範囲の地図を、前記４方向と対応する位置関係に配して表示することができる表示部と、を備える。
【００１０】
このような態様とすれば、地図を表示する際に、基準位置から指定した距離の位置の近傍にある対象物を、基準位置との位置関係を喪失することなく、容易に知ることができる。
【００１１】
なお、前記表示部は、前記４個の範囲を含む一つの範囲を連続した一つの地図として表示することができる縮尺よりも小さい縮尺で、前記４個の範囲の地図を表示することが好ましい。
【００１２】
このような態様とすれば、４個の範囲を含む一つの範囲を連続した一つの地図として表示する態様に比べて、４個の範囲において対象物が表示される可能性が高い。このため、ユーザは、基準位置から指定した距離の位置の近傍にある対象物を、発見できる可能性が高い。
【００１３】
また、前記表示部は、
前記基準位置を含む範囲を連続した一つの地図として表示する第１のモードと、
前記４個の範囲の地図を、前記４方向と対応する位置関係に配して表示する第２のモードと、を備え、
前記第１のモードから前記第２のモードに移行することができ、
前記第２のモードから前記第１のモードに移行することができることが好ましい。
【００１４】
このような態様とすれば、ユーザは、対象物を探すのに便利な第２のモードと、基準位置の周辺の地図を表示するための第１のモードとを自由に行き来することができる。このため、基準位置との位置関係を喪失することなく、対象物を容易に見つけることができる。
【００１５】
なお、前記表示部は、
前記第１のモードで前記基準位置を含む範囲の地図を表示した後に前記第２のモードで地図を表示する際には、前記第２のモードに移行する直前に前記第１のモードで前記地図を表示した縮尺で、前記４個の範囲の地図を表示することが好ましい。
【００１６】
このような態様とすれば、第１のモードで地図を表示した状態から、そのままの縮尺で、４方向について表示範囲を移動させて、対象物を探すことができる。このため、ユーザは、縮尺ごとの地図上の表示の違いを意識することなく対象物を探すことができる。
【００１７】
また、前記４個の範囲は、それぞれ前記基準位置に最も近い地点を一つの頂点とする四角形の範囲であり、
前記表示部は、
四角形の表示範囲を有し、
前記４個の範囲の地図を表示する際には、前記四角形の表示範囲内の左上、右上、右下、および左下の位置に、前記４個の範囲の前記一つの頂点が向かい合うように、前記４個の範囲を配して表示することが好ましい。
【００１８】
このような態様とすれば、四角形の表示範囲を有効に活用して、４個の範囲の地図を表示することができる。上記の表示範囲および４個の範囲は、たとえば、長方形とすることができる。なお、本明細書において「長方形」には、正方形を含むものとする。
【００１９】
また、上記の表示範囲および４個の範囲は、菱形でもよい。そのような態様においては、表示範囲内の上、右、下、および左の位置に、前記４個の範囲の前記一つの頂点が向かい合うように、前記４個の範囲を配して表示することが好ましい。なお、なお、本明細書において「菱形」には、正方形を含むものとする。
【００２０】
なお、前記４個の範囲は、それぞれ前記基準位置に最も近い地点を一つの頂点とする三角形の範囲であり、
前記表示部は、
長方形の表示範囲を有し、
前記４個の範囲の地図を表示する際には、長方形の表示範囲内の上、右、下、および左の位置に、前記４個の範囲の前記一つの頂点が向かい合うように、前記４個の範囲をそれぞれ配して表示することが好ましい。
【００２１】
このような態様としても、長方形の表示範囲を有効に活用して、４個の範囲の地図を表示することができる。また、指定する距離を少しづつ大きくしていく際には、表示範囲の外縁近傍に新たな範囲の地図が表示され、表示範囲の中央にはすでに見た範囲の地図が表示される。このため、４個の各範囲が三角形であり、各範囲内において、基準位置からより遠い部分について、より広い範囲の地図を表示することができる上記態様によれば、ユーザは容易に対象物を探すことができる。
【００２２】
また、前記表示部は、前記４個の範囲の地図を表示する際には、前記表示範囲の一部の範囲であって、前記表示範囲の中央を含む範囲に前記指定された距離に関する表示を行うことが好ましい。
【００２３】
このような態様とすれば、ユーザは、基準位置から、４個の範囲の地図に表示された対象物までのおよその距離を知ることができる。また、距離の指定を少しづつ大きくしていく際には、表示範囲の外縁近傍に新たな範囲の地図が表示され、表示範囲の中央にはすでに見た範囲の地図が表示される。このため、表示範囲の中央に距離に関する表示を行うこととすれば、ユーザが見たいと考えられる新たな部分の地図の表示を妨げることなく、距離の情報をユーザに提供することができる。
【００２４】
なお、前記入力部は、前記距離の指定の少なくとも一部として、前記指定された距離を増大または減少させる指示をユーザから受け取ることができることが好ましい。
【００２５】
このような態様とすれば、ユーザは、基準位置に近い範囲から遠い範囲について順に、対象物を探すことができる。また、ユーザは、基準位置に遠い範囲から近い範囲について順に、対象物を探すことができる。
【００２６】
また、前記入力部は、前記４方向の向きに関する指定を受け取ることができ、
前記表示部は、前記向きに関する指定に応じて、地図の方位に対する前記４方向の向きを決定して、４個の範囲の地図を表示することができることが好ましい。
【００２７】
このような態様とすれば、ユーザは、任意の向きについて基準位置からの距離を変化させて対象物を探すことができる。
【００２８】
なお、前記表示部は、前記４個の範囲の地図を表示する際には、前記表示範囲の一部の範囲であって、前記表示範囲の中央を含む範囲に前記指定された向きに関する表示を行うことが好ましい。
【００２９】
このような態様とすれば、ユーザは、基準位置から、４個の範囲の地図に表示された対象物のおよその方角を知ることができる。また、表示範囲の中央に向きに関する表示を行うため、ユーザが見たいと思われるより遠い部分の地図の表示を妨げることなく、向きの情報をユーザに提供することができる。
【００３０】
また、前記入力部は、前記向きに関する指定の少なくとも一部として、前記指定された向きを時計回りまたは反時計回りに変化させる指示をユーザから受け取ることができることが好ましい。
【００３１】
このような態様とすれば、ユーザは、基準位置から等距離にある範囲について、順に、向きを変えて対象物を探すことができる。
【００３２】
なお、前記入力部は、
前記指定された距離を増大させる指示を受け取るための第１の操作部と、
前記指定された距離を減少させる指示を受け取るための第２の操作部と、
前記４方向の向きを時計回りに変化させる指示を受け取るための第３の操作部と、
前記４方向の向きを反時計回りに変化させる指示を受け取るための第４の操作部と、を備え、
前記入力部における前記第１の操作部の位置を１２時の方向としたとき、
前記第２の操作部は、６時の方向に配され、
前記第３の操作部は、３時の方向に配され、
前記第４の操作部は、９時の方向に配されていることが好ましい。
【００３３】
このような態様とすれば、ユーザは、地図を表示する４個の範囲の距離および方向を直感的に変化さえて、地図を表示させることができる。
【００３４】
なお、本発明は、種々の形態で実現することが可能であり、例えば、地図表示装置および地図表示方法、地図データ生成装置および地図データ生成方法、それらの方法または装置の機能を実現するためのコンピュータプログラム、そのコンピュータプログラムを記録した記録媒体、そのコンピュータプログラムを含み搬送波内に具現化されたデータ信号、等の形態で実現することができる。
【発明を実施するための最良の形態】
【００３５】
Ａ．第１実施例：
Ａ１．全体構成：
図１は、本発明の第１実施例である地図表示システムのハードウェア構成を示す図である。第１実施例の地図表示システムは、経路探索サーバ１００と、地図サーバ１５０と、携帯電話２００と、を含む。
【００３６】
携帯電話２００は、ＧＰＳユニット２０１と、表示パネル２０２と、音声出力部２０３と、振動機構２０４と、通信部２０５と、コマンド入力部２０６と、主制御部２１０と、通話制御部２２０とを有している。
【００３７】
ＧＰＳユニット２０１は、ＧＰＳ（Ｇｒｏｂａｌ Ｐｏｓｉｔｉｏｎｉｎｇ Ｓｙｓｔｅｍ／全地球測位システム）の衛星からの電波を受信するためのアンテナを含むユニットである。ＧＰＳのアンテナが受信する電波に基づいて、ＧＰＳユニット２０１は、携帯電話２００の現在位置を表す現在位置情報を生成することができる。
【００３８】
表示パネル２０２は、画像を表示することができる液晶ディスプレイである。音声出力部２０３は、スピーカを含む装置であって、経路案内などのユーザへのメッセージやメロディなどを音声で出力できる装置である。振動機構２０４は、所定のパターンの振動でユーザの注意を促すことができる装置である。本明細書においては、画像、音声、振動を出力する装置２０２〜２０４を、まとめて「出力部」と呼ぶことがある。
【００３９】
通信部２０５は、インターネットＩＮＴを介して経路探索サーバ１００および地図サーバ１５０と通信を行い、情報を送受信することができる。コマンド入力部２０６は、テンキー２０６ａとカーソルキー２０６ｂとを含む。ユーザは、テンキー２０６ａとカーソルキー２０６ｂを介して携帯電話２００に情報を入力する。通話制御部２２０は、通話のための着信呼出、音声／電気信号の変換などを行う回路である。
【００４０】
主制御部２１０は、携帯電話２００の各部を制御するための制御ユニットである。主制御部２１０は、それらの制御に使用されるＣＰＵ、ＲＡＭ、ＲＯＭを備えている。たとえば、主制御部２１０は、ＣＰＵでアプリケーションソフトウェア２１２を実行することによって携帯電話２００の各部を制御し、現在位置を含む所定の範囲の地図を表示パネル２０２に表示することができる。また、主制御部２１０は、ＣＰＵでアプリケーションソフトウェア２１２を実行することによって携帯電話２００の各部を制御し、地図データや、現在位置から目的地までの経路を表す経路データを入手して、それら地図や経路を表示パネル２０２に表示することができる。
【００４１】
経路探索サーバ１００は、通信部１０２と、制御部１０４と、記憶部１０６とを有している。通信部１０２は、インターネットＩＮＴを介して地図サーバ１５０および携帯電話２００と通信を行うことができる。
【００４２】
記憶部１０６は、経路探索のための経路ネットワークデータを格納している。記憶部１０６は、さらに、地図サーバ１５０、および携帯電話２００から受け取ったデータ、およびそれらに基づいて生成されたデータを格納する。
【００４３】
経路探索サーバ１００の制御部１０４は、記憶部１０６に格納されている経路ネットワークデータを参照しつつ、出発地および目的地、ならびに経由地その他の探索条件の情報に基づいて、ルートを探索する。そして、制御部１０４は、出発地点から目的地に至る経路を表す経路データを生成し、携帯電話２００に送信する。経路データは、ノード情報、アーク情報、交差点や駅の属性情報などを含む。
【００４４】
地図サーバ１５０は、通信部１５２と、制御部１５４と、地図データベース１５６とを有している。通信部１５２は、インターネットＩＮＴを介して経路探索サーバ１００や携帯電話２００と通信を行うことができる。
【００４５】
地図データベース１５６は、携帯電話２００に送信するための画像データとしての地図画像データを格納している。制御部１５４は、携帯電話２００から受け取ったデータに基づいて携帯電話２００が要求する一部の領域の地図を表す地図画像データを特定し、通信部１５２を介して携帯電話２００に送信する。
【００４６】
Ａ２．地図の表示：
図２は、地図データに基づいて、携帯電話２００の表示パネル２０２に現在位置を含む範囲Ｄａ０の地図を表示した状態を示す図である。地図上には現在位置ＰＰと道路Ｒ０１が表示されている。現在位置ＰＰの情報は、ＧＰＳユニット２０１により取得される。地図データは、通信部２０５を介して地図サーバ１５０から取得される。なお、図１において、地図データに基づいて表示パネル２０２に所定の地図を表示する主制御部２１０の機能部を、地図表示部２３２として示す。以下では、主としてこの地図表示部２３２が奏する機能を説明する。
【００４７】
携帯電話２００の表示パネル２０２において、現在位置ＰＰは、表示パネル２０２の中央を含む所定の領域に表示される。なお、表示パネル２０２の「中央」は、表示パネル２０２の長方形の表示領域の対角線の交点である。
【００４８】
なお、図２の状態においては、北が真上となるように地図が表示されている。しかし、地図の上を北にするのか、ユーザの移動方向とするのかは、コマンド入力部２０６を操作して、適宜、ユーザが選択することができる。
【００４９】
表示パネル２０２に現在位置ＰＰを含む範囲Ｄａ０の地図が表示された状態から、コマンド入力部２０６を使用して所定の操作をすると、表示パネル２０２の左上部分に操作メニューＭ１が表示される。操作メニューＭ１は、地図の表示範囲を移動させるための選択肢Ｍ１１と、地図の縮尺を変更するための選択肢Ｍ１２と、現在位置ＰＰを中心とする４カ所の範囲の地図を表示するための選択肢Ｍ１３とを含む。
【００５０】
選択肢Ｍ１１〜Ｍ１３は、カーソルキー２０６ｂの第１の部分Ｐ１と、第２の部分Ｐ２とを操作することで選択できる。カーソルキー２０６ｂの第１の部分Ｐ１を１２時の位置としたとき、第２の部分Ｐ２は６時の位置にある。同様に、カーソルキー２０６ｂの３時の位置にある部分を第３の部分と呼び、９時の位置にある部分を第４の部分と呼ぶ。
【００５１】
図２においては、選択肢Ｍ１３が四角で囲われている。この状態は、選択肢Ｍ１３が選択された状態である。選択を確定する操作は、カーソルキー２０６ｂの中央部分Ｐｃを押すことで実行できる。図１において、テンキー２０６ａおよびカーソルキー２０６ｂを介してユーザの指示を受け取る機能を奏する主制御部２１０の機能部を、入力部２３１として示す。
【００５２】
なお、図２、ならびに後に説明する図３、図６、図７、図９〜１１において、矢印Ｕは、鉛直上方を表す。ただし、紙面は２次元であるため、紙面内の矢印Ｕが表す実際の鉛直上方の向きは、矢印Ｕを含み紙面に垂直な面内において０より大きく９０度より小さい範囲をとりうる。カーソルキー２０６ｂの第１の部分Ｐ１は、携帯電話２００の姿勢によらず、カーソルキー２０６ｂの中央部分Ｐｃに対して、長方形の表示パネル２０２の長辺または短辺の向きであって、鉛直上方に最も近い向きに位置する。
【００５３】
図３は、図２の状態から選択肢Ｍ１３の選択が確定された場合の表示パネル２０２の表示を示す図である。なお、図２のように、現在位置ＰＰを含む範囲Ｄａ０の地図を連続した一つの地図として表示パネル２０２に表示するモードを「第１のモード」と呼ぶ。これに対して、図３のように、現在位置ＰＰを中心とする地図上の４カ所の範囲の地図を表示するモードを「第２のモード」と呼ぶ。以下で「第２のモード」におけるシステムの動作について説明する。
【００５４】
第２のモードにおいては、表示パネル２０２の表示領域は、左上、右上、右下、左下の４つの領域２０２１〜２０２４に分割される。各領域２０２１〜２０２４には、それぞれ異なる範囲の地図が表示される。なお、領域２０２１〜２０２４の互いの境界は、黒い線で示される。
【００５５】
領域２０２１〜２０２４は、中央のアイコンＣＩと重複する部分を除き、表示パネル２０２の表示領域を４等分して構成される長方形の領域と同じである。本明細書においては、アイコンＣＩなどの地図以外の表示が地図に重ねて表示される場合は、「地図以外の表示が行われる部分にも地図が表示されているものと仮定したときの地図全体の外形」が長方形である場合には、その地図の範囲は「長方形」であるものとして説明する。
【００５６】
表示パネル２０２の中央を含む所定の領域には、アイコンＣＩが表示される。アイコンＣＩは、領域２０２１〜２０２４に表示している各地図の北の向きを示す矢印Ａｎと、領域２０２１〜２０２４に表示している地図の南の向きを示す矢印Ａｓと、現在位置ＰＰから領域２０２１〜２０２４に表示される各範囲内の最も近い地点までの距離ｒを示す表示Ｄｒとを有する。なお、地図の方位を示す矢印Ａｎ，Ａｓのうち、矢印Ａｎは赤色で表示される。矢印Ａｓは白色で表示される。さらに、アイコンＣＩは、現在位置から領域２０２１〜２０２４に表示された地図の場所にそれぞれ向かう向きを表す表示としての線分Ａ１〜Ａ４を含む。
【００５７】
図３の例においては、北が図の真上となるように地図が表示されている（図３の矢印Ａｎ，Ａｓ参照）。また、第１のモードから第２のモードに移行した直後は、表示Ｄｒに示される距離ｒは「０」である（図３の表示Ｄｒ参照）。すなわち、図３の状態において、表示パネル２０２の領域２０２１〜２０２４に表示される４個の地図は、現在位置ＰＰにおいて互いに接している。その結果、第２のモードに移行した直後の図３の状態において、表示パネル２０２の領域２０２１〜２０２４に表示される地図の範囲および向きは、第１のモードの図２の状態において、表示パネル２０２に表示される地図の範囲および向きと同じである。
【００５８】
図４は、第１および第２のモードにおいて表示パネル２０２に表示される地図の相対位置を示す概念図である。中央に示す４個の長方形からなる範囲Ｄａ０は、第１のモードにおいて表示パネル２０２に示される地図の範囲である（図２参照）。第１のモードから第２のモードに移行した直後に示される範囲も範囲Ｄａ０である（図３参照）。第２のモードにおいて、表示パネル２０２の領域２０２１〜２０２４には、それぞれ範囲Ｄａ０のうちの範囲Ｄａ１０〜Ｄａ４０の地図が表示される。
【００５９】
図５は、現在位置の周辺の範囲Ｄａ０を含むより広い範囲の地図ＭＩ０１上において、第２のモードで表示パネル２０２の領域２０２１〜２０２４に表示される４個の地図の範囲を示す図である。図５の地図上には、道路Ｒ０１，Ｒ０２，Ｒ０３、鉄道の線路ＲＲ０１、鉄道の駅Ｓｔ０１，Ｓｔ０２，Ｓｔ０３、公園Ｐ０１、池Ｗ０１などが含まれている。なお、図５の下段の地図における方位を、図５の上段の表示Ｃ１で示す。表示Ｃ１において「Ｎ」が表示される向きが図５の下段の地図における北の向きである。
【００６０】
図５において、範囲Ｄａ０を、中央に破線で示す。範囲Ｄａ０は、第１のモードにおいて表示パネル２０２に示される地図の範囲であり、第１のモードから第２のモードに移行した直後において、表示パネル２０２に示される地図の範囲である。範囲Ｄａ０内を道路Ｒ０１が通っている（図２および図３参照）。
【００６１】
図６は、表示パネル２０２の領域２０２１〜２０２４に表示される地図の範囲までの現在位置からの距離ｒとして３００ｍが指定された場合の表示パネル２０２の表示を示す図である。図３の状態からカーソルキー２０６ｂの第１の部分Ｐ１が押されると、領域２０２１〜２０２４に表示される４個の地図の範囲の現在位置からの距離ｒが増大される。なお、領域２０２１〜２０２４に表示される４個の地図の範囲と、現在位置との距離ｒは、４個の地図の範囲のうちそれぞれ最も現在位置に近い地点と、現在位置と、の距離である（図４のｒ１およびｒ２参照）。
【００６２】
第１の部分Ｐ１が押されると、主制御部２１０の地図表示部２３２は、第１の部分Ｐ１の操作量（押圧時間）に応じて距離ｒを増大させる量を計算する。そして、地図表示部２３２は、その距離だけ、表示範囲Ｄａ１〜Ｄａ４を現在位置ＰＰから遠くに移動させる（図４および図５の矢印ＡＤ参照）。すると、領域２０２１〜２０２４に表示される地図の範囲が現在位置ＰＰから遠ざかる。このとき領域２０２１〜２０２４に表示される地図の範囲を、図４においてそれぞれＤａ１１，Ｄａ２１，Ｄａ３１，Ｄａ４１で示す。
【００６３】
範囲Ｄａ１１，Ｄａ２１，Ｄａ３１，Ｄａ４１は、現在位置ＰＰを中心として互いがなす角度の大きさを９０度に固定された４方向Ｄ１〜Ｄ４にそれぞれ位置する。図４において、各範囲Ｄａ１１，Ｄａ２１，Ｄａ３１，Ｄａ４１の現在位置ＰＰに最も近い一つの頂点を通る円Ｓ１の半径ｒ１は、ユーザによってカーソルキー２０６ｂを介して指定された距離ｒである（図６のＤｒ参照）。図６の例では、半径ｒ１は３００ｍである（図６のＤｒ参照）。
【００６４】
図５において、範囲Ｄａ１１，Ｄａ２１，Ｄａ３１，Ｄａ４１を破線で示す。範囲Ｄａ３１には、線路ＲＲ０１の一部および駅Ｓｔ０２の一部が含まれる。また、範囲Ｄａ４１には、公園Ｐ０１の一部が含まれる。その結果、図６に示すように、表示パネル２０２の領域２０２３には、線路ＲＲ０１の一部および駅Ｓｔ０２の一部が表示される。そして、領域２０２４には、公園Ｐ０１の一部が表示される。
【００６５】
このような態様とすることで、ユーザは、現在位置から４方向のうちどちらの方向にどのくらい行けば鉄道や駅や公園などの対象物があるか、といった情報を容易に入手することができる。すなわち、第１のモードで地図を表示した縮尺では表示パネル２０２に表示されないような、現在位置から遠い位置にある対象物を、基準位置（現在位置）との関係を喪失することなく、容易に知ることができる（図２および図６参照）。
【００６６】
図７は、表示パネル２０２の領域２０２１〜２０２４に表示される地図の範囲までの現在位置からの距離ｒとして１．０ｋｍが指定された場合の表示パネル２０２の表示を示す図である。図６の状態からさらにカーソルキー２０６ｂの第１の部分Ｐ１が押されると、領域２０２１〜２０２４に表示される４個の地図の範囲の現在位置からの距離ｒがさらに増大される。すると、領域２０２１〜２０２４に表示される地図の範囲が現在位置からさらに遠ざかる。このとき領域２０２１〜２０２４に表示される地図の範囲を、図４においてそれぞれＤａ１２，Ｄａ２２，Ｄａ３２，Ｄａ４２で示す。
【００６７】
各範囲Ｄａ１２，Ｄａ２２，Ｄａ３２，Ｄａ４２の現在位置に最も近い一つの頂点を通る円Ｓ２の半径ｒ２は、ユーザによってカーソルキー２０６ｂを介して指定された距離ｒである。図７の例では、半径ｒ２は１．０ｋｍである。
【００６８】
第１のモードにおいて第２のモードに移行する直前に地図が表示されていた範囲Ｄａ０の上方（ここでは「北」）に対して水平面上で左に４５度の方向に位置する範囲（図４の範囲Ｄａ１０，Ｄａ１１，Ｄａ１２）を、現在位置ＰＰからの距離ｒによらず総称するときには、範囲Ｄａ１と呼ぶ。なお、第１のモードにおいて第２のモードに移行する直前に地図が表示されていた範囲Ｄａ０の上方の向きを「基準方向」と呼ぶ。
【００６９】
基準方向に対して水平面上で右に４５度の方向に位置する範囲（図４の範囲Ｄａ２０，Ｄａ２１，Ｄａ２２）を、現在位置ＰＰからの距離ｒによらず総称するときには、範囲Ｄａ２と呼ぶ。基準方向に対して水平面上で右に１３５度の方向に位置する範囲（図４の範囲Ｄａ３０，Ｄａ３１，Ｄａ３２）を、現在位置ＰＰからの距離ｒによらず総称するときには、範囲Ｄａ３と呼ぶ。基準方向に対して水平面上で左に１３５度の方向に位置する範囲（図４の範囲Ｄａ４０，Ｄａ４１，Ｄａ４２）を、現在位置ＰＰからの距離ｒによらず総称するときには、範囲Ｄａ４と呼ぶ。
【００７０】
範囲Ｄａ１〜Ｄａ４は、現在位置を中心として９０度づつの角度範囲を開けて配される方向Ｄ１〜Ｄ４に位置する。すなわち、範囲Ｄａ１〜Ｄａ４は、現在位置を中心として互いの相対角度を固定された範囲である。
【００７１】
基準方向に対して左に４５度の方向に位置する範囲Ｄａ１（図４参照）の地図は、表示パネル２０２の中心から上方に向かう向きに対して左に４５度の場所に位置する領域２０２１に表示される（図３、図６および図７参照）。同様に、基準方向に対して右に４５度の方向に位置する範囲Ｄａ２の地図は、表示パネル２０２の中心から上方に向かう向きに対して右に４５度の場所に位置する領域２０２２に表示される。
【００７２】
基準方向に対して右に１３５度の方向に位置する範囲Ｄａ３（図４参照）の地図は、表示パネル２０２の中心から上方に向かう向きに対して右に１３５度の場所に位置する領域２０２３に表示される（図３、図６および図７参照）。同様に、基準方向に対して左に１３５度の方向に位置する範囲Ｄａ４の地図は、表示パネル２０２の中心から上方に向かう向きに対して左に１３５度の場所に位置する領域２０２４に表示される。
【００７３】
すなわち、範囲Ｄａ１〜Ｄａ４の地図は、現在位置から範囲Ｄａ１〜Ｄａ４に向かう方向と対応する位置関係で表示される（図３〜図７参照）。
【００７４】
図５において、範囲Ｄａ１２，Ｄａ２２，Ｄａ３２，Ｄａ４２を破線で示す。範囲Ｄａ２２には、道路Ｒ０３の一部が含まれる。また、範囲Ｄａ４２には、公園Ｐ０１の一部は含まれなくなっている。その結果、図７に示すように、表示パネル２０２の領域２０２２には、道路Ｒ０３の一部が表示される。そして、領域２０２４には、公園Ｐ０１の一部が表示されなくなっている。
【００７５】
たとえば、ユーザが、現在位置ＰＰからほぼ北の方角に、バス路線がある道路Ｒ０２，Ｒ０３があることをあらかじめ知っているときに、ユーザは、以下のように地図表示システムを使用することができる。すなわち、表示すべき範囲の現在位置からの距離ｒを少しづつ増大させて表示範囲を変えてゆく。その結果、先に表示された道路Ｒ０３の方が、まだ表示されない道路Ｒ０２よりも現在位置から近いことが分かる。その結果、ユーザはより近い道路Ｒ０３を目指して歩き出すことができる。
【００７６】
図７の状態からカーソルキー２０６ｂの第２の部分Ｐ２が押されると、表示パネル２０２の領域２０２１〜２０２４に表示される４個の地図の範囲の現在位置からの距離ｒが減少される。その際の主制御部２１０の機能部としての地図表示部２３２の処理は、現在位置から範囲Ｄａ１〜Ｄａ４までの距離を減少させる点を除いて、第１の部分Ｐ１が押された場合と同じである。すなわち、第２の部分Ｐ２が押されると、領域２０２１〜２０２４に表示される地図の範囲が現在位置に近づく（図４および図５の矢印ＡＤ参照）。
【００７７】
その結果、ユーザは、たとえば、表示パネル２０２の表示内容を図７の状態から図６や図３の状態に戻すことができる。このように、カーソルキー２０６ｂの第１の部分Ｐ１と第２の部分Ｐ２とを操作することで、ユーザは、表示パネル２０２の領域２０２１〜２０２４に表示する範囲の現在位置ＰＰからの距離ｒを任意に変化させることができる。その結果、ユーザは、地図を表示すべき範囲の距離を様々に変えて、各方向に存在する施設などを探すことができる。
【００７８】
また、第１のモードから第２のモードに移行した直後は、現在位置から表示範囲までの距離ｒは「０」である（図３参照）。そして、第２のモードにおいては、第１のモードにおいて第２のモードに移行する直前に表示されていた地図と同じ縮尺で地図が表示される。このため、第１のモードから第２のモードに移行した直後には、第１のモードにおいて表示されていた範囲と同じ範囲の地図が表示される（図２および図３参照）。よって、ユーザは、現在位置の近くから順に、表示範囲までの距離ｒを増大させて、地図上における目的物を探すことができる。
【００７９】
そして、本実施例の地図表示システムにおいては、ユーザは、カーソルキー２０６ｂの１２時の方向（上方）に配される第１の部分Ｐ１を操作することで、距離ｒを増大させるとことができる。そして、カーソルキー２０６ｂの６時の方向（下方）に配される第２の部分Ｐ２を操作することで、距離ｒを減少させるとことができる。このため、ユーザは、直感的に表示範囲を変えて目的物を探すことができる。
【００８０】
また、小さな縮尺の地図上には表示される対象物が大きな縮尺の地図では省略されることがある。しかし、本実施においては第２のモードにおける縮尺は第１のモードにおける縮尺と等しい。このため、ユーザは、第１のモードにおいて地図上で見ていた表示と同程度の表示を想定して、第２のモードで対象物を探すことができる。
【００８１】
さらに、現在位置から領域２０２１〜２０２４の表示範囲Ｄａ１〜Ｄａ４までの距離ｒや、地図の方位を示すアイコンＣＩは、表示パネル２０２の中央に表示される（図３、図６および図７参照）。ユーザが現在位置の周辺について目的物を探す際には、現在位置からの距離ｒ＝０の範囲Ｄａ０から順に遠くの範囲を探すことが多い。そして、その際には、新たな範囲の地図は表示パネル２０２の外周近傍に表示される。これに対して、表示パネル２０２の中央にはすでに表示された範囲の地図が表示される。このため、アイコンＣＩを表示パネル２０２の中央に表示することにより、ユーザが見たい部分の地図を隠すことなく、表示範囲までの距離や地図の方位を示すことができる。
【００８２】
図８は、現在位置周辺の範囲Ｄａ０を含むより広い範囲の地図ＭＩ０２上において、第２のモードにおいて表示パネル２０２の領域２０２１〜２０２４に表示される４個の地図の範囲Ｄａ１１，Ｄａ２１，Ｄａ３１，Ｄａ４１や範囲Ｄａ１２，Ｄａ２２，Ｄａ３２，Ｄａ４２を示す図である。図８に示す地図ＭＩ０２は、図５の地図ＭＩ０１を時計回りに４５度回転させた地図である。図８の下段の地図における北の向きを、図８の上段の表示Ｃ２で示す。表示Ｃ２において「Ｎ」が表示される向きが図８の下段の地図における北の向きである。
【００８３】
図６の状態からカーソルキー２０６ｂの第４の部分Ｐ４が押されると、表示パネル２０２の領域２０２１〜２０２４に地図が表示される４個の地理上の範囲（図４参照）と、地図（図５および図８参照）の方位との相対角度が変化する。
【００８４】
より具体的には、第４の部分Ｐ４が押されると、主制御部２１０機能部としての地図表示部２３２は、第４の部分Ｐ４の押圧時間に応じて変化させる角度の量を計算する。そして、地図表示部２３２は、その角度の量だけ、地図を、表示範囲Ｄａ１〜Ｄａ４に対して相対的に時計回りに回転させる（図５および図８の矢印ＡＲ参照）。言い換えれば、表示範囲Ｄａ１〜Ｄａ４の向きが、地図に対して反時計回りに回転する。すると、領域２０２１〜２０２４に表示される地図の範囲が、それぞれ現在位置ＰＰからそれぞれの地図の場所の方角を見たときに、左の方に移動する。
【００８５】
なお、カーソルキー２０６ｂの第４の部分Ｐ４や第３の部分Ｐ３が操作される前の基準状態においては、地図は、第１のモードにおいて表示されていた地図と同じ向きで表示されている（図２、図３、図６および図７参照）。
【００８６】
図９は、図６の状態からカーソルキー２０６ｂの第４の部分Ｐ４が押され、領域２０２１〜２０２４に表示される地図の範囲が、現在位置ＰＰを中心として左の方にずらされた状態を示す図である。表示パネル２０２の領域２０２１〜２０２４には、それぞれ範囲Ｄａ１１，Ｄａ２１，Ｄａ３１，Ｄａ４１の地図が表示されている。図８において、範囲Ｄａ１１，Ｄａ２１，Ｄａ３１，Ｄａ４１を破線で示す。
【００８７】
範囲Ｄａ３１には、線路ＲＲ０１の一部および駅Ｓｔ０２の一部は含まれなくなり、代わりに、道路Ｒ０１の一部が含まれる。また、範囲Ｄａ４１には、公園Ｐ０１の一部であって、図６で表示されている部分とは異なる部分が含まれる。
【００８８】
このような態様とすることで、ユーザは、現在位置から所定の距離にある範囲において、どの方向に何があるか、という情報を容易に入手することができる。すなわち、第１のモードで地図を表示した縮尺では表示パネル２０２に表示されないような、現在位置から遠い位置にある対象物を、基準位置（現在位置）との位置関係を喪失することなく、容易に知ることができる（図６および図９参照）。
【００８９】
図１０は、表示パネル２０２の領域２０２１〜２０２４に表示される地図の範囲までの現在位置からの距離ｒとして１．０ｋｍが指定された場合の表示パネル２０２の表示を示す図である。図９の状態からさらにカーソルキー２０６ｂの第１の部分Ｐ１が押されると、領域２０２１〜２０２４に表示される地図の範囲は、たとえば、図８においてそれぞれ破線で示す範囲Ｄａ１２，Ｄａ２２，Ｄａ３２，Ｄａ４２となる。このとき、各範囲Ｄａ１２，Ｄａ２２，Ｄａ３２，Ｄａ４２の現在位置に最も近い一つの頂点を通る円Ｓ２の半径ｒ２は、ユーザによってカーソルキー２０６ｂを介して指定された距離ｒである。図１０の例では、半径ｒ２は１．０ｋｍである。
【００９０】
このとき、図１０に示すように、表示パネル２０２の領域２０２２には、池Ｗ０１の一部が表示される。そして、領域２０２３には、道路Ｒ０１の一部が表示されている。
【００９１】
なお、図１０の状態は、たとえば、図７の状態からカーソルキー２０６ｂの第４の部分Ｐ４が押されることによって、地図が時計回りに４５度回転されることによっても、実現される。
【００９２】
一方、ユーザは、カーソルキー２０６ｂの第３の部分Ｐ３を押すことによっても、表示パネル２０２の領域２０２１〜２０２４に地図が表示される４個の地理上の範囲（図４参照）と、地図（図５および図８参照）の方位との相対角度を変化させることができる。その際の主制御部２１０の機能部としての地図表示部２３２の処理は、表示範囲Ｄａ１〜Ｄａ４に対する地図の相対角度の回転の方向が反時計回りである点を除いて、第４の部分Ｐ４が押された場合と同じである。
【００９３】
すなわち、第３の部分Ｐ３が押されると、地図が、表示範囲Ｄａ１〜Ｄａ４に対して反時計回りに回転する。言い換えれば、表示範囲Ｄａ１〜Ｄａ４の向きが、地図に対して時計回りに回転する。その結果、領域２０２１〜２０２４に表示される地図の範囲が、現在位置から各領域を見たときに、右の方向に移動する。
【００９４】
このため、ユーザは、たとえば、図１０の状態からカーソルキー２０６ｂの第３の部分Ｐ３を操作することで、領域２０２１〜２０２４の表示を図７の状態とすることができる。また、ユーザは、たとえば、図９の状態からカーソルキー２０６ｂの第３の部分Ｐ３を操作することで、領域２０２１〜２０２４の表示を図６の状態とすることができる。
【００９５】
このように、ユーザは、カーソルキー２０６ｂの第１の部分Ｐ１〜第４の部分Ｐ４を操作することにより、現在位置からどちらの方向にどのくらい行けばどのような施設があるのか、に関する情報を容易に入手することができる。すなわち、第１のモードで地図を表示した縮尺では表示パネル２０２に表示されないような、現在位置から遠い位置にある対象物を、基準位置（現在位置）との位置関係を喪失することなく、容易に知ることができる（図２、図６、図９および図１０参照）。
【００９６】
また、本実施例の地図表示システムにおいては、ユーザは、９時の方向（左方）に配される第４の部分Ｐ４を操作することで、地図の表示範囲を反時計回りに移動させることができる。そして、ユーザは、３時の方向（右方）に配される第３の部分Ｐ３を操作することで、地図の表示範囲を時計回りにずらすことができる。このため、ユーザは、直感的に表示範囲を変えて目的物を探すことができる。
【００９７】
そして、本実施例においては、カーソルキー２０６ｂの上下左右に位置する第１の部分Ｐ１〜第４の部分Ｐ４が、それぞれ距離の増大および減少、時計回りの回転および反時計回りの回転の操作を指示する為の手段となっている。このため、地図上で目的物を探す際の主要な操作を一つの入力部で行うことができる。よって、装置の構成を小さくすることができる。
【００９８】
また、第１のモードから第２のモードに移行した直後は、第１のモードにおいて表示されていた範囲と同じ範囲の地図が同じ向きで表示される（図２および図３参照）。よって、ユーザは、現在位置および自分が認識している方向を失うことなく地図上における目的物を探すことができる。
【００９９】
表示パネル２０２に現在位置ＰＰを含む範囲Ｄａ１〜Ｄａ４の地図が表示された状態から、コマンド入力部２０６を使用して所定の操作をすると、表示パネル２０２の左上部分に操作メニューＭ２が表示される。操作メニューＭ２は、第１のモードに戻るための選択肢Ｍ２１と、第２のモードを維持するための選択肢Ｍ２２とを含む。
【０１００】
選択肢Ｍ２１，Ｍ２２は、カーソルキー２０６ｂの第１の部分Ｐ１と、第２の部分Ｐ２とを操作することで選択できる。図１０においては、選択肢Ｍ２１が四角で囲われている。この状態は、選択肢Ｍ２１が選択された状態である。選択を確定する操作は、カーソルキー２０６ｂの中央部分Ｐｃを押すことで実行できる。選択肢Ｍ２１の選択が確定されると、動作は第１のモードに戻る（図２参照）。
【０１０１】
このように、ユーザは、第１のモードと第２のモードとを自由に行き来できる。このため、現在位置から遠くにあり図２の状態では表示されないような対象物を探した後、現在位置周辺の地図を表示する第１のモードに戻ることができる。よって、現在位置と対象物との位置関係を把握した状態で、対象物を探すことができる。
【０１０２】
Ｂ．第２実施例：
第１実施例では、第２のモードにおいて、表示パネル２０２の領域は、左上、右上、右下、左下の４つの領域２０２１〜２０２４に分割される。第２実施例においては、第２のモードにおける表示パネル２０２の分割のし方が第１実施例とは異なる。また、表示パネル２０２の中央に表示されるアイコンＣＩｂも第１実施例とは異なる。第２実施例の他の点は、第１実施例と同じである。
【０１０３】
図１１は、第２実施例において、第１のモードから第２のモードに移行した直後の表示パネル２０２の表示を示す図である。第２実施例の第２のモードにおいては、表示パネル２０２の領域は、上、右、下、左の４つの領域２０２５〜２０２８に分割される。各領域２０２５〜２０２８には、それぞれ異なる範囲の地図が表示される。なお、領域２０２５〜２０２８の互いの境界は、黒い線で示される。
【０１０４】
各領域２０２５〜２０２８は、中央のアイコンＣＩｂと重複する部分を除き、表示パネル２０２の領域を対角線で４等分して構成される二等辺三角形の領域と同じである。各二等辺三角形は、底辺を、表示パネル２０２の長方形の表示領域の辺と共有する。なお、本明細書においては、地図以外の表示が地図に重ねて表示される場合は、「地図以外の表示が行われる部分にも地図が表示されているものと仮定したときの地図全体の外形」が、たとえば三角形である場合には、その地図の範囲は「三角形」であるものとして説明する。
【０１０５】
表示パネル２０２の中央に表示されるアイコンＣＩｂは、現在位置から領域２０２５〜２０２８に表示された地図の場所にそれぞれ向かう向きを表す表示としての線分Ａ５〜Ａ８を含む。アイコンＣＩｂの他の点は、第１実施例のアイコンＣＩと同じである。
【０１０６】
図１２は、第２実施例の第１および第２のモードにおいて表示パネル２０２の領域２０２５〜２０２８に表示される地図の相対位置を示す概念図である。中央に示す範囲Ｄａ０は、第１のモードにおいて表示パネル２０２に示される地図の範囲である（図２参照）。第１のモードから第２のモードに移行した直後に示される範囲も範囲Ｄａ０である（図１１参照）。第２のモードにおいて、表示パネル２０２の領域２０２５〜２０２８には、それぞれ範囲Ｄａ０のうちの範囲Ｄａ５０〜Ｄａ８０の地図が表示される。
【０１０７】
カーソルキー２０６ｂの第１の部分Ｐ１または第２の部分Ｐ２が操作され、領域２０２５〜２０２８に表示される地図の範囲Ｄａ５０〜Ｄａ８０の最も近い点までの現在位置からの距離ｒが指定されると、矢印ＡＤで示すように、範囲Ｄａ５０〜Ｄａ８０の現在位置ＰＰに対する相対的な位置が変化する。そして、表示パネル２０２の領域２０２５〜２０２８には、それぞれの範囲に対応する地図が表示される。なお、カーソルキー２０６ｂの第３の部分Ｐ３または第４の部分Ｐ４が操作された場合の地図表示システムの処理は、第１実施例と同じである。すなわち、地図の表示範囲と地図の方位との相対角度が変化する。
【０１０８】
第２実施例においては、第２のモードに移行する直前に第１のモードにおいて地図が表示されていた範囲Ｄａ０の上の方向（基準方向。ここでは「北」）に位置する範囲（図１２の範囲Ｄａ５０，Ｄａ５１，Ｄａ５２）を、現在位置ＰＰからの距離ｒによらず総称するときには、範囲Ｄａ５と呼ぶ。基準方向に対して水平面上で右に９０度の方向に位置する範囲（図１２の範囲Ｄａ６０，Ｄａ６１，Ｄａ６２）を、現在位置ＰＰからの距離ｒによらず総称するときには、範囲Ｄａ６と呼ぶ。
【０１０９】
基準方向に対して水平面上で１８０度の方向に位置する範囲（図１２の範囲Ｄａ７０，Ｄａ７１，Ｄａ７２）を、現在位置ＰＰからの距離ｒによらず総称するときには、範囲Ｄａ７と呼ぶ。基準方向に対して水平面上で左に９０度の方向に位置する範囲（図４の範囲Ｄａ８０，Ｄａ８１，Ｄａ８２）を、現在位置ＰＰからの距離ｒによらず総称するときには、範囲Ｄａ８と呼ぶ。
【０１１０】
範囲Ｄａ５〜Ｄａ８は、現在位置を中心として９０度づつの角度範囲を開けて配される方向Ｄ５〜Ｄ８に位置する。すなわち、範囲Ｄａ５〜Ｄａ８は、現在位置を中心として互いの相対角度を固定された範囲である。
【０１１１】
表示パネル２０２に表示された範囲Ｄａ０の上の方向（基準方向）に位置する範囲Ｄａ５の地図は、表示パネル２０２において上の場所に位置する領域２０２５に表示される。基準方向に対して右に９０度の方向に位置する範囲Ｄａ６の地図は、表示パネル２０２において右の場所に位置する領域２０２６に表示される。
【０１１２】
基準方向に対して１８０度の方向に位置する範囲Ｄａ７の地図は、表示パネル２０２において下の場所に位置する領域２０２７に表示される。基準方向に対して左に９０度の方向に位置する範囲Ｄａ８の地図は、表示パネル２０２において左の場所に位置する領域２０２８に表示される。
【０１１３】
すなわち、範囲Ｄａ５〜Ｄａ８の地図は、範囲Ｄａ１〜Ｄａ４のそれぞれの方向と対応する位置関係で表示される（図１１および図１２参照）。
【０１１４】
このような態様としても、ユーザは、第１のモードで地図を表示した縮尺では表示パネル２０２に表示されないような、現在位置から遠い位置にある対象物を、基準位置（現在位置）との関係を喪失することなく、容易に知ることができる。
【０１１５】
また、現在位置ＰＰ周辺から順に遠い範囲について対象物を探す場合、新たな範囲の地図は表示パネル２０２の外周近傍に表示される。そして、表示パネル２０２の中央近傍には、すでに表示パネル２０２上に表示された地図上の対象物が表示される。本実施例においては、領域２０２５〜２０２８は、表示パネル２０２の外周近傍において幅が広く、表示パネル２０２の中央近傍において幅が狭い二等辺三角形で行使される（図１１および図１２参照）。このため、本実施例においては、新たに表示される部分の地図が、すでに表示された部分の地図よりも広く表示される。このため、ユーザは、目的物を探しやすい。
【０１１６】
Ｃ．変形例：
なお、この発明は上記の実施例や実施形態に限られるものではなく、その要旨を逸脱しない範囲において種々の態様において実施することが可能であり、例えば次のような変形も可能である。
【０１１７】
Ｃ１．変形例１：
上記実施例では詳細な説明はしていないが、携帯電話２００は、現在位置からの距離ｒの変更、および表示すべき地図の範囲Ｄａ１〜Ｄａ４，Ｄａ５〜Ｄａ８の向きの変更に応じて、地図データを地図サーバ１５０に要求する。地図サーバ１５０は、携帯電話２００からの要求に応じて必要な地図データを携帯電話に送る。
【０１１８】
なお、地図サーバ１５０から携帯電話２００に送られる地図データの範囲は、様々な範囲とすることができる。たとえば、携帯電話２００に送られる地図データの範囲は、表示すべき地図の範囲とすることができる。また、表示すべき地図と同じ方向にある範囲の少なくとも一部の地図（図５および図８の矢印ＡＤ参照）や、表示すべき地図と同じ距離ｒにある範囲の少なくとも一部の地図（図５および図８の矢印ＡＲ参照）をあらかじめ携帯電話に送る態様としてもよい。
【０１１９】
Ｃ２．変形例２：
地図サーバ１５０の地図データベース１５６内に格納されている画像データとしての地図画像データは、ラスタデータとして保持されていてもよいし、ベクトルデータとして保持されていてもよい。ユーザが携帯する端末装置としての携帯電話２００に送信される地図画像データも、ラスタデータであってもよいし、ベクトルデータであってもよい。さらに、地図データベース１５６内の地図画像データと、端末装置に送信される地図画像データは、いずれか一方をベクトルデータとし、他方をラスタデータとすることもできる。
【０１２０】
Ｃ３．変形例３：
上記実施例においては、地図上の文字の表示については説明を省略したが、地図上の地名や施設を表示するための文字は、地図上の図形とは別に一定の大きさで、または縮尺に応じた大きさで、地図上に表示することができる。
【０１２１】
Ｃ４．変形例４：
上記実施例では、ＧＰＳユニット２０１から得られる現在位置情報に基づいて、現在位置を中心とした地図表示が行われる。しかし、地図表示の第２のモードは、実際の現在位置とは無関係に、ユーザが指定した位置を基準位置として、そこから所定の方向および距離にある範囲の地図を表示する態様とすることもできる。また、地図表示の第１のモードは、ユーザが指定した位置を含む所定範囲の地図を表示する態様とすることもできる。
【０１２２】
Ｃ５．変形例５：
上記実施例では、第２のモードにおいて表示される地図の範囲は、直前に第１のモードで表示されていた地図の範囲と同じである。そして、ユーザは、カーソルキー２０６ｂの第１の部分Ｐ１と、第２の部分Ｐ２とを操作することによって、４個の範囲の位置を連続的に変化させる指示を携帯電話２００に与える（図４、図５、図８および図１２の矢印ＡＤ参照）。しかし、第２のモードにおいて地図を表示させる範囲の位置は、他の態様で指定することもできる。
【０１２３】
たとえば、ユーザが、テンキー２０６ａを操作して、基準位置からの距離を指定する態様とすることもできる。また、基準位置は、直前に第１のモードで表示されていた現在位置とすることもでき、ユーザがテンキー２０６ａやカーソルキー２０６ｂ等の入力手段で指定した位置とすることもできる。
【０１２４】
さらに、ソフトウェア的なボタンであるとハードウェア的なボタンであるとを問わず、所定のボタンを押すことによる距離ｒの増大または減少の指示があった場合に実行される処理は、表示パネル２０２上で画面の変化が連続的に見える程度の距離ｒの段階的改変であってもよく、表示パネル２０２上で画面の変化が断続的に見える程度の距離ｒの段階的改変であってもよい。
【０１２５】
Ｃ６．変形例６：
上記実施例では、第２のモードにおいて最初に表示される地図の向きは、直前に第１のモードで表示されていた地図の向きと同じである。そして、ユーザは、カーソルキー２０６ｂの第３の部分Ｐ３と、第４の部分Ｐ４とを操作することによって、その地図の向きを連続的に変化させる指示を携帯電話２００に与える（図５および図８の矢印ＡＲ参照）。しかし、第２のモードにおいて表示させる地図の向きは、他の態様で指定することもできる。
【０１２６】
たとえば、入力部としてのカーソルキー２０６において１２時〜３時の向きに位置する所定の部分を操作することで、表示範囲の位置を地図の方位に対して時計回りに変化させる態様とすることができる。そして、入力部において９時〜１２時の向きに位置する所定の部分を操作することで、表示範囲の位置を地図の方位に対して反時計回りに変化させる態様とすることができる。
【０１２７】
また、たとえば、ユーザが、テンキー２０６ａを操作して、基準となる所定の方向からの角度を指定する態様とすることもできる。そして、基準となる所定の方向は、直前に第１のモードで表示されていた地図の上の向きとすることもでき、常に北とすることもできる。
【０１２８】
また、ソフトウェア的なボタンであるとハードウェア的なボタンであるとを問わず、所定のボタンを押すことによる地図と表示範囲の相対角度の変化の指示があった場合の処理は、表示パネル２０２上で画面の変化が連続的に見える程度の相対角度の変化であってもよく、断続的に見える程度の相対角度の変化であってもよい。
【０１２９】
さらに、入力部としてのカーソルキー２０６を時計回りになぞる表示範囲の位置を地図の方位に対して時計回りに変化させる態様とすることができる。そして、入力部を反時計回りになぞることで、表示範囲の位置を地図の方位に対して反時計回りに変化させる態様とすることができる。
【０１３０】
また、上記各態様において、入力操作と回転の向きとの関係を逆にすることもできる。すなわち、入力部は、なんらかの方法で地図の方位に対する表示範囲の向きを指定することができるものであればよい。
【０１３１】
Ｃ７．変形例７：
上記実施例では、第２のモードにおいては、第２のモードに移行する直前に第１のモードにおいて地図が表示されていた縮尺と同じ縮尺で、地図が表示される（図２、図３、図６、図７、図９〜図１１参照）。しかし、第２のモードにおいて地図を表示する縮尺は他の縮尺とすることもできる。ただし、第２のモードにおいては、表示パネル２０２に表示される４個の範囲（範囲Ｄａ１〜Ｄａ４や範囲Ｄａ５〜Ｄａ８）を含む一つの範囲を連続した一つの地図（図５および図８参照）として表示することができる縮尺よりも小さい縮尺で、地図を表示することが好ましい。
【０１３２】
そのような態様とすれば、４個の範囲（上記実施例において、範囲Ｄａ１〜Ｄａ４や範囲Ｄａ５〜Ｄａ８）を含む一つの範囲を連続した一つの地図として表示できる縮尺で地図が表示される場合に比べて、容易に対象物を探すことができる。なお、このような態様においては、表示部に表示される４個の範囲（範囲Ｄａ１〜Ｄａ４や範囲Ｄａ５〜Ｄａ８）は、互いに重複しない部分を含む範囲となる。
【０１３３】
なお、本明細書において、「〜より縮尺が小さい」（〜より小縮尺である）とは、同じ大きさの表示範囲内に連続した一つの地図を表示する際に、比較対象よりも狭い範囲の地図が表示される態様を意味する。そして、「〜より縮尺が大きい」（〜より大縮尺である）とは、同じ大きさの表示範囲内に連続した一つの地図を表示する際に、比較対象よりも広い範囲の地図が表示される態様を意味する。
【０１３４】
Ｃ８．変形例８：
上記実施例においては、第１のモードと第２のモードの表示とは、切換によって実現されている（図２および図１０参照）。しかし、第１のモードのための第１の表示と第２のモードのための第２の表示とを同時に表示部としての表示パネル２０２に表示する態様とすることもできる。
【０１３５】
そのような態様においては、たとえば、ユーザが入力部を介して第１の表示を操作でき、第２の表示を操作できない状態が、第１のモードである。そして、ユーザが入力部を介して第２の表示を操作でき、第１の表示を操作できない状態が、第２のモードである。ある表示は、ユーザが操作できない間は、同じ内容に保たれる。ユーザが第１のモードにおいて第１の表示を操作した後、第１のモードから第２のモードに移行する際には、第２の表示における地図の縮尺は、モードの移行直前の第１の表示における地図の縮尺と同じであることが好ましい。
【０１３６】
Ｃ９．変形例９：
上記実施例の第２のモードにおいて目的とする対象物を見つけた場合に、カーソルキー２０６ｂを操作して、現在位置からその目的物までの経路を探索させることもできる。たとえば、図６の状態において、カーソルキー２０６ｂの中央部分Ｐｃを押すと、表示パネル２０２には、「○○駅（駅Ｓｔ０２）までの経路を探索しますか？」、「××公園（公園Ｐ０１）までの経路を探索しますか？」という、目的地設定を促す表示がなされる。これらの表示は、表示パネル２０２の領域２０２１〜２０２４に表示されている対象物を目的地に設定するか否かの決定を促す表示である。
【０１３７】
ユーザは、カーソルキー２０６ｂを操作して、それらのうちの一つを選択する。すると、現在位置および目的地の情報が携帯電話２００から経路探索サーバ１００に送信される。経路探索サーバ１００は、記憶部１０６内の経路ネットワークデータを参照して、現在位置から目的地に至る経路を探索する。そして、その経路のデータを携帯電話２００に送信する。携帯電話２００は、その経路のデータを使用して、表示パネル２０２に経路を表示する。また、ＧＰＳユニット２０１を使用して、経路案内を行うこともできる。このような態様とすれば、外出先でユーザが移動する際のユーザの利便性をより高めることができる。
【０１３８】
Ｃ１０．変形例１０：
上記実施例においては、操作メニューＭ１，Ｍ２は、地図画像に重ねて表示される（図２および図１０参照）。しかし、操作メニューなどの、ユーザが地図表示システムに情報を入力するための表示は、表示パネル２０２において地図画像を表示する領域とは別の領域に示される態様とすることができる。ユーザが地図表示システムに情報を入力するための表示は、たとえば、地図を表示するための領域の右側や左側、上側または下側に設けることができる。
【０１３９】
Ｃ１１．変形例１１：
上記実施例では、地図を表示する領域２０２１〜２０２４、２０２５〜２０２８同士の境界は、黒い線で表示される（図３および図１１参照）。しかし、地図を表示する領域同士の境界は、たとえば白色や赤色などの他の色の線で表示するなど、他の態様で示されることとしてもよい。
【０１４０】
Ｃ１２．変形例１２：
上記実施例では、表示される地図の向きや表示範囲までの距離を示すアイコンＣＩは、表示パネル２０２の中央に表示される（図２および図１０参照）。しかし、地図の向きや表示範囲までの距離を示す領域（実施例においてアイコンＣＩ）は、表示領域のうちの他の位置とすることもできる。地図の向きや表示範囲までの距離を示す領域は、たとえば、表示領域の中心点よりも表示領域の端に近い位置に配することもできる。なお、地図の向きなどを示す領域と、表示領域の中心点や表示領域の端までとの距離は、地図の向きなどを示す領域と、表示領域の中心点や表示領域の端までの最短距離で評価するものとする。
【０１４１】
なお、地図の向きや表示範囲までの距離を示す領域を、表示領域の中心点を含まない範囲に表示する態様においては、所定の表示で表示領域の中心点を表すことが好ましい。すなわち、地図を表示する領域２０２１〜２０２４や２０２５〜２０２８の４個の頂点が重なる点が、表示領域の中心点に配され、中心点として所定の表示で示されることが好ましい。
【０１４２】
Ｃ１３．変形例１３：
上記実施例においては、地図表示システムは、その構成要素として、経路探索サーバ１００と、地図サーバ１５０と、領域情報サーバ１８０と、携帯電話２００と、を含む。しかし、ユーザが携帯し、ＧＰＳユニットおよびディスプレイを備える携帯端末に、経路探索サーバ１００、地図サーバ１５０の機能を備える態様とすることもできる。さらに、携帯端末に、領域情報サーバ１８０の機能を備えることもできる。また、経路探索サーバ１００と、地図サーバ１５０とは、同じサーバであってもよい。そして、領域情報サーバ１８０が、経路探索サーバ１００と同じサーバであってもよい。なお、携帯端末は、電話機能を備えない機器としての、ＰＤＡ（Ｐｅｒｓｏｎａｌ  Ｄａｔａ  Ａｓｓｉｓｔａｎｔ）やノート型のコンピュータなどとすることもできる。すなわち、携帯端末は、ユーザが携帯でき、データに基づいてユーザに対して所定の出力を行うことができる装置であればよい。
【０１４３】
すなわち、案内装置としての地図表示システムは、その各構成要素が一つの筐体内に収納されている一つの装置であってもよい。また、地図表示システムは、その構成要素が、互いにデータ通信回線で結ばれている２以上の装置として構成されるものとすることもできる。経路データを生成する機能、特定領域を選択する機能などの各機能については、各装置に１以上の任意の機能を割り当てることができる。そして、各機能は、それぞれ一つの装置で実現されてもよく、２以上の装置が協働して実現してもよい。なお、２以上の構成要素が通信回線で結ばれている態様においては、ユーザに対して情報を出力する出力部は、ユーザに携帯されるものであることが好ましい。
【０１４４】
なお、上記の様々な態様において、地図表示システムは、マウスを介して操作される態様とすることができる。マウスは、たとえば、左右に並んで配される左側ボタンおよび右側ボタンと、一部がマウスの表面に露出したホイールと、を有する態様とすることができる。
【０１４５】
そのような態様においては、ホイール表面を、ユーザに近い方から遠い方に押して回転させる操作により、領域２０２１〜２０２４，２０２５〜２０２８に表示される４個の地図の範囲の現在位置からの距離ｒが増大される。そして、ホイール表面を、ユーザから遠い方から近い方に引いて回転させる操作により、領域２０２１〜２０２４，２０２５〜２０２８に表示される４個の地図の範囲の現在位置からの距離ｒが減少される。すなわち、ホイール表面をユーザに近い方から遠い方に押して回転させる操作が、第１実施例における第１の部分Ｐ１の操作に相当する。そして、ホイール表面をユーザから遠い方から近い方に引いて回転させる操作が、第１実施例における第２の部分Ｐ２の操作に相当する。
【０１４６】
また、左側ボタンが押されると、表示範囲Ｄａ１〜Ｄａ４の向きが、地図に対して反時計回りに回転する。そして、右側ボタンが押されると、表示範囲Ｄａ１〜Ｄａ４の向きが、地図に対して時計回りに回転する。すなわち、左側ボタンの操作が、第１実施例における第４の部分Ｐ４の操作に相当する。そして、右側ボタンの操作が、第１実施例における第３の部分Ｐ３の操作に相当する。このような態様とすれば、ユーザは、マウスを介して直感的に表示する地図の範囲を変えることができる。
【０１４７】
Ｃ１４．変形例１４：
上記実施例において、ハードウェアによって実現されていた構成の一部をソフトウェアに置き換えるようにしてもよく、逆に、ソフトウェアによって実現されていた構成の一部をハードウェアに置き換えるようにしてもよい。例えば、アプリケーションソフトウェア２１２（図１）の機能の一部を制御回路が実行するようにすることもできる。
【０１４８】
このような機能を実現するコンピュータプログラムは、磁気ディスクやＣＤ−ＲＯＭ等の、コンピュータ読み取り可能な記録媒体に記録された形態で提供される。ホストコンピュータは、その記録媒体からコンピュータプログラムを読み取って内部記憶装置または外部記憶装置に転送する。あるいは、通信経路を介してプログラム供給装置からホストコンピュータにコンピュータプログラムを供給するようにしてもよい。コンピュータプログラムの機能を実現する時には、内部記憶装置に格納されたコンピュータプログラムがホストコンピュータのマイクロプロセッサによって実行される。また、記録媒体に記録されたコンピュータプログラムをホストコンピュータが直接実行するようにしてもよい。
【０１４９】
この明細書において、ホストコンピュータとは、ハードウェア装置とオペレーションシステムとを含む概念であり、オペレーションシステムの制御の下で動作するハードウェア装置を意味している。コンピュータプログラムは、このようなホストコンピュータに、上述の各部の機能を実現させる。なお、上述の機能の一部は、アプリケーションプログラムでなく、オペレーションシステムによって実現されていても良い。
【０１５０】
なお、この発明において、「コンピュータ読み取り可能な記録媒体」とは、フレキシブルディスクやＣＤ−ＲＯＭのような携帯型の記録媒体に限らず、各種のＲＡＭやＲＯＭ等のコンピュータ内の内部記憶装置や、ハードディスク等のコンピュータに固定されている外部記憶装置も含んでいる。
【図面の簡単な説明】
【０１５１】
【図１】本発明の第１実施例である地図表示システムのハードウェア構成を示す図。
【図２】携帯電話２００の表示パネル２０２に現在位置を含む範囲Ｄａ０の地図を表示した状態を示す図。
【図３】図２の状態から選択肢Ｍ１３が選択された場合の表示パネル２０２の表示を示す図。
【図４】第１および第２のモードにおいて表示パネル２０２に表示される地図の相対位置を示す概念図。
【図５】広い範囲の地図上において、第２のモードで表示パネル２０２の領域２０２１〜２０２４に表示される４個の地図の範囲を示す図。
【図６】表示される地図の範囲までの現在位置からの距離ｒとして３００ｍが指定された場合の表示パネル２０２の表示を示す図。
【図７】表示される地図の範囲までの現在位置からの距離ｒとして１．０ｋｍが指定された場合の表示パネル２０２の表示を示す図。
【図８】広い範囲の地図上において、第２のモードにおいて表示パネル２０２の領域２０２１〜２０２４に表示される４個の地図の範囲を示す図。
【図９】図６の状態からカーソルキー２０６ｂの第４の部分Ｐ４が押され、領域２０２１〜２０２４に表示される地図の範囲が、左の方にずらされた状態を示す図である。
【図１０】領域２０２１〜２０２４に表示される地図の範囲までの現在位置からの距離ｒとして１．０ｋｍが指定された場合の表示パネル２０２の表示を示す図。
【図１１】第２実施例において、第１のモードから第２のモードに移行した直後の表示パネル２０２の表示を示す図。
【図１２】第２実施例の第１および第２のモードにおいて表示パネル２０２の領域２０２５〜２０２８に表示される地図の相対位置を示す概念図。
【符号の説明】
【０１５２】
１００…経路探索サーバ
１０２…通信部
１０４…制御部
１０６…記憶部
１５０…地図サーバ
１５２…通信部
１５４…制御部
１５６…地図データベース
１８０…領域情報サーバ
２００…携帯電話
２０１…ＧＰＳユニット
２０２…表示パネル
２０２１…表示パネル２０２の左上の領域
２０２２…表示パネル２０２の右上の領域
２０２３…表示パネル２０２の右下の領域
２０２４…表示パネル２０２の左下の領域
２０２５…表示パネル２０２の上の領域
２０２６…表示パネル２０２の右の領域
２０２７…表示パネル２０２の下の領域
２０２８…表示パネル２０２の左の領域
２０３…音声出力部
２０４…振動機構
２０５…通信部
２０６…コマンド入力部
２０６ａ…テンキー
２０６ｂ…カーソルキー
２１０…主制御部
２１２…アプリケーションソフトウェア
２２０…通話制御部
２３１…入力部
２３２…地図表示部
Ａ１…線分
ＡＤ…現在位置から地図が表示される範囲までの距離ｒの変化を示す矢印
ＡＲ…地図が表示される範囲と地図との相対角度の変化を示す矢印
Ａｎ…北を示す矢印
Ａｓ…南を示す矢印
Ｃ１，Ｃ２…地図の方位を示す表示
ＣＩ，ＣＩｂ…現在位置から地図が表示される範囲までの距離ｒと地図の方位を示すアイコン
Ｄａ０…第１のモードにおいて第２のモードに移行する直前に表示パネル２０２に地図が表示された範囲
Ｄａ１０…基準方向に対して左４５度の方向で距離ｒ＝０ｍの範囲
Ｄａ１１…基準方向に対して左４５度の方向で距離ｒ＝３００ｍの範囲
Ｄａ１２…基準方向に対して左４５度の方向で距離ｒ＝１．０ｋｍの範囲
Ｄａ２０…基準方向に対して右４５度の方向で距離ｒ＝０ｍの範囲
Ｄａ２１…基準方向に対して右４５度の方向で距離ｒ＝３００ｍの範囲
Ｄａ２２…基準方向に対して右４５度の方向で距離ｒ＝１．０ｋｍの範囲
Ｄａ３０…基準方向に対して右１３５度の方向で距離ｒ＝０ｍの範囲
Ｄａ３１…基準方向に対して右１３５度の方向で距離ｒ＝３００ｍの範囲
Ｄａ３２…基準方向に対して右１３５度の方向で距離ｒ＝１．０ｋｍの範囲
Ｄａ４０…基準方向に対して左１３５度の方向で距離ｒ＝０ｍの範囲
Ｄａ４１…基準方向に対して左１３５度の方向で距離ｒ＝３００ｍの範囲
Ｄａ４２…基準方向に対して左１３５度の方向で距離ｒ＝１．０ｋｍの範囲
Ｄａ５０…基準方向で距離ｒ＝０ｍの範囲
Ｄａ５１…基準方向で距離ｒ＝３００ｍの範囲
Ｄａ５２…基準方向で距離ｒ＝１．０ｋｍの範囲
Ｄａ６０…基準方向に対して右９０度の方向で距離ｒ＝０ｍの範囲
Ｄａ６１…基準方向に対して右９０度の方向で距離ｒ＝３００ｍの範囲
Ｄａ６２…基準方向に対して右９０度の方向で距離ｒ＝１．０ｋｍの範囲
Ｄａ７０…基準方向に対して１８０度の方向で距離ｒ＝０ｍの範囲
Ｄａ７１…基準方向に対して１８０度の方向で距離ｒ＝３００ｍの範囲
Ｄａ７２…基準方向に対して１８０度の方向で距離ｒ＝１．０ｋｍの範囲
Ｄａ８０…基準方向に対して左９０度の方向で距離ｒ＝０ｍの範囲
Ｄａ８１…基準方向に対して左９０度の方向で距離ｒ＝３００ｍの範囲
Ｄａ８２…基準方向に対して左９０度の方向で距離ｒ＝１．０ｋｍの範囲
Ｄｒ…現在位置から地図が表示される範囲までの距離ｒを示す表示
ＩＮＴ…インターネット
Ｍ１…操作メニュー
Ｍ１１…地図の表示範囲を移動させるための選択肢
Ｍ１２…地図の縮尺を変更するための選択肢
Ｍ１３…現在位置ＰＰを中心とする４カ所の範囲の地図を表示するための選択肢
Ｐ０１…公園
Ｐ１…カーソルキー２０６ｂの第１の部分
Ｐ２…カーソルキー２０６ｂの第２の部分
Ｐ３…カーソルキー２０６ｂの第３の部分
Ｐ４…カーソルキー２０６ｂの第４の部分
ＰＰ…現在位置
Ｐｃ…カーソルキー２０６ｂの中央部分
Ｒ０１〜Ｒ０３…道路
ＲＲ０１…線路
Ｓｔ０１〜Ｓｔ０３…駅
Ｗ０１…池
ｒ１…範囲Ｄａ１１，Ｄａ２１，Ｄａ３１，Ｄａ４１の現在位置ＰＰに最も近い一つの頂点を通る円Ｓ１の半径
ｒ２…範囲Ｄａ１２，Ｄａ２２，Ｄａ３２，Ｄａ４２の現在位置ＰＰに最も近い一つの頂点を通る円Ｓ２の半径
【図１】
0004884415.tif 000002
【図２】
0004884415.tif 000003
【図３】
0004884415.tif 000004
【図４】
0004884415.tif 000005
【図５】
0004884415.tif 000006
【図６】
0004884415.tif 000007
【図７】
0004884415.tif 000008
【図８】
0004884415.tif 000009
【図９】
0004884415.tif 000010
【図１０】
0004884415.tif 000011
【図１１】
0004884415.tif 000012
【図１２】
0004884415.tif 000013